(57)【要約】【課題】  楽器のチューニングの際に、チューナのディスプレイを演奏者が容易に目視できる楽器の位置と方向に容易に設置できる吸盤付きチューナを提供することにある。【解決手段】  楽器Ｇの音源から発生する音に対して基準となる音名と、その音名から決定される基準周波数との誤差を画面表示するディスプレイ３を備えたチューナ本体２と、チューナ本体２を保持するホルダー４と、ホルダー４の下部に設けられた支承部材５と、楽器の平滑面Ｐに対して着脱可能に取着できる吸着面１２と突部１３を設けた合成樹脂材料からなる吸盤１０と、支承部材５と前記突部１３とを相対回転可能に連結する連結部材４０とを設け、楽器の平滑面Ｐに対するチューナ本体２の姿勢を少なくとも前後傾斜方向に回転可能とすることができる吸盤付きチューナを構成している。【選択図】  図１
0003212030.tif 000002
【実用新案登録請求の範囲】
【請求項１】
楽器の音源から発生する音に対して基準となる音名と、その音名から決定される基準周波数との誤差を画面表示するディスプレイを備えたチューナ本体と、
前記チューナ本体を保持するホルダーと、
前記ホルダーの下部に設けられた支承部材と、
前記楽器の平滑面に対して着脱可能に取着できる吸着面と突部を設けた合成樹脂材料からなる吸盤と、
前記支承部材と前記突部とを回転可能に連結する連結部材とを設け、
前記楽器の平滑面に対する前記チューナ本体の姿勢を少なくとも前後傾斜方向に回転可能としたことを特徴とする吸盤付きチューナ。
【請求項２】
前記連結部材は、前記支承部材と突部を貫通する孔に挿入する連結軸からなることを特徴とする請求項１に記載の吸盤付きチューナ。
【請求項３】
前記連結軸の一端部に頭部、他端にネジ部を設け、該ネジ部に螺合するナットを設けたことを特徴とする請求項２に記載の吸盤付きチューナ。
【請求項４】
前記連結部材は、前記支承部材と突部に設けた円盤及び円筒溝からなることを特徴とする請求項１に記載の吸盤付きチューナ。
【請求項５】
前記円盤および／または円筒溝には、割出し用の歯を形成したことを特徴とする請求項４に記載の吸盤付きチューナ。
【請求項６】
前記連結部材は、前記支承部材の先端に球状突起を設け、前記突部の先端には前記球状突起が嵌る凹部を穿設して枢動可能な状態で連結し、前記楽器の平滑面に対する前記チューナ本体の姿勢を前後左右傾斜方向および軸回転方向に回転可能としたことを特徴とする請求項１に記載の吸盤付きチューナ。
【考案の詳細な説明】
【技術分野】
【０００１】
本考案は、音楽の練習時や演奏開始前あるいは演奏時に楽器をチューニング（調律）して楽器から発する音源の音程を正しくするために用いるチューナ（調律器）に関し、より詳しくは、チューナ本体を楽器に直接取り付けてチューニングできるコンパクトで取り扱いが容易な吸盤付きチューナに関する。
【背景技術】
【０００２】
音楽演奏に使用される楽器、例えば複数の弦を張設したギターは、各弦をフインガーボードのフレット上に指で押えて弾くことにより弦音を発生できる弦楽器である。異なる楽音を発生する複数の各弦は、ギター本体に互いに平行に張られている。楽器を演奏する前には、ギターに張られた各弦をヘッドに回転自在に設けられたペグを回転することで、それぞれの弦の張力を適正な力に調整して、各弦を正しい音高になるようにチューニングする必要がある。
【０００３】
この弦のチューニング作業では、各弦が正しい音高に調整されているか否かを、楽器演奏者は聴覚により判断して行っている。しかし、演奏者が聴覚により各弦を正確に素早くチューニングすることは、演奏者が専門家でない限り難しく、特に楽器を始めて間もない初心者ではチューニング作業に時間を要し、かつ周囲からの騒音が聞こえる環境下で聴覚のみを頼りにしてチューニングすることは難しい。
【０００４】
楽器のチューニング作業を簡易に行うための器具として、調律器（音楽用電子機器またはチューナ）が知られており、その一例としては、各音源の音を調律器に入力してその音高情報を基準として音源例えば弦の音源の調律状態を画面に表示できるチューナがある。
【０００５】
これらの代表的なチューナには、楽器の端部例えばヘッド部を挟持するクリップによりチューナを楽器に直接取り付け、楽器から発生する音の調律状態をチューナ本体の表示部（ディスプレイ）に表示して、音程の調整適否を画面の表示で確認しながらチューニングできるものがある。楽器に直接取り付けて用いるクリップ付きチューナでは、クリップの開閉する両挟み板で楽器を挟むことができる形と厚さの楽器端部が必要である。また楽器から発生する音を効率良く集音して感知できる楽器の位置を探して、その位置または近傍にチューナを取り付けることが必要である。このために楽器の一部を挟持するクリップ部と、調律した結果を表示するディスプレイを備えたチューナ本体との間には、ディスプレイの表示面が演奏者から見易い位置と方向になるように調整できる回転継手等を設けたクリップ付きチューナが提案されている。（特許文献１、２参照）
【０００６】
図８はクリップ付きチューナの従来例を示す図であり、チューナ３５とクリップ３０を一体化した装置として構成されている。図８（ａ）は、チューナ３５のチューナ本体３６に設けられたディスプレイ３７を正面から見た図であり、図８（ｂ）は、図８（ａ）を側面から見た図である。図８（ｃ）は、チューナ３５のクリップ３０を開いてギターＧのヘッド部Ｈに取り付けた状態を示す一部断面した側面図である。楽器例えばギターＧの端部に直接取り付けて用いるチューナ３５は、クリップ３０と、チューナ本体３６とで構成されている。クリップ３０は、挟み板として対をなす第１板材３１および第２板材３２と、それが交差するヒンジ部３３を中心にして開閉可能にチューナ３５と連結されている。この第１板材３１と第２板材３２の間には、図示しないねじりコイルバネや板バネが備えられ、ヒンジ部３３をバネの力により弾発付勢することによって、例えば管楽器やギター等の楽器の一部をクリップ３０で挟持して、チューナ３５を楽器に直接取り付けることができるものである。すなわちヒンジ部３３は、図示しないバネ等の弾性部材によって第１板材３１と第２板材３２とを互いに接近させる方向に弾発付勢されている。チューナ３５を楽器Ｇに取付けまたは取り外す場合は、演奏者は握力により第１板材３１と第２板材３２とを離間することで、クリップ３０先端を開き、楽器の端部を把持または取り外し可能な状態にする。このクリップ３０を開いてギターＧのヘッド部Ｈ等を挟むことでチューナ３５をギターＧに直接取り付け、演奏者はこのチューナ３５のディスプレイ３７を見ながら弦のチューニング作業を行える装置である。
【０００７】
このクリップを備えたチューナを一般的にクリップ式チューナ（またはクリップチューナ）と呼んでいる。楽器の一部にクリップを利用して取り付けることができる形式のチューナは、クリップとチューナ本体とが一体化した装置として構成され、クリップで楽器の端部を挟んでチューナを楽器に直接取り付けて使用する。従来のクリップ式チューナは、クリップを閉じる方向のバネの力を利用して、クリップを楽器の一部に挟んで取付ける構造であるため、取り付けが可能な楽器の部位は、クリップで挟むことができる形状と厚さが必要である。このためにクリップで取り付けることができる位置は制限され、演奏者はチューナのディスプレイを目視するには不便な位置であっても仕方なく取り付けて使用し、あるいはチューナの画面を見ることができない場合は、チューニングが完了したことを示す完了音等を頼りにして調律することがあった。またクリップで挟んで固定する為に、クリップを大きく開閉する必要がありクリップの形状は必然と大きくなる。このことからチューナを取付けた状態で演奏する場合は、楽器の顔である特徴的なヘッドデザインやロゴがチューナ本体やクリップで隠されてしまい楽器本来の美観を損ねてしまう。また楽器にチューナを取り付けた状態で演奏する場合は、チューナの存在が聴衆者に対して目立ち、演奏会としてのショー的な観点でも問題があった。さらにクリップで楽器の部位を強く挟むことから、時には挟んだクリップで楽器の表面を傷付けてしまうこともあった。
【先行技術文献】
【特許文献】
【０００８】
【特許文献１】特開２００５−２８４０３５号公報
【特許文献２】特開２０１０−１６４７１０号公報
【考案の概要】
【考案が解決しようとする課題】
【０００９】
本考案の目的は、楽器のチューニングの際に、チューナのディスプレイを演奏者が容易に目視できる楽器の位置とディスプレイが見易い方向にチューナを容易に設置および調整できる吸盤付きチューナを提供することにある。
【００１０】
本考案の他の目的は、楽器から発する音源の音を正確かつ効率よく集音し易い楽器の位置に容易に設置できる吸盤付きチューナを提供することにある。
【００１１】
本考案のさらに他の目的は、楽器の演奏中にチューナを取り付けた状態で演奏しても、チューナの存在自体が見えない位置例えば裏面等に設置でき、かつ聴衆にとって気にならない大きさで、全体の形状がコンパクトな吸盤付きチューナを提供することにある。
【課題を解決するための手段】
【００１２】
前記目的を達成する本考案の吸盤付きチューナの請求項１に示す形態は、楽器の音源から発生する音に対して基準となる音名と、その音名から決定される基準周波数との誤差を画面表示するディスプレイを備えたチューナ本体と、チューナ本体を保持するホルダーと、ホルダーの下部に設けられた支承部材と、楽器の平滑面に対して着脱可能に取着できる吸着面と突部を設けた合成樹脂材料からなる吸盤と、支承部材と突部とを回転可能に連結する連結部材とを設け、楽器の平滑面に対するチューナ本体の姿勢を少なくとも前後傾斜方向に回転可能としたことを特徴としている。
【００１３】
前記目的を達成する本考案の吸盤付きチューナの請求項２に示す形態の連結部材は、支承部材と突部を貫通する孔に挿入する連結軸からなることを特徴としている。
【００１４】
前記目的を達成する本考案の吸盤付きチューナの請求項３に示す形態の連結部材は、連結軸の一端部に頭部、他端部にネジ部を設け、ネジ部に螺合するナットを設けたことを特徴としている。
【００１５】
前記目的を達成する本考案の吸盤付きチューナの請求項４に示す形態の連結部材は、支承部材と突部に設けた円盤及び円筒溝からなることを特徴としている。
【００１６】
前記目的を達成する本考案の吸盤付きチューナの請求項５に示す形態の円盤および／または円筒溝には、割出し用の歯を形成したことを特徴としている。
【００１７】
前記目的を達成する本考案の吸盤付きチューナの請求項６に示す形態の連結部材は、支承部材の先端に球状突起を設け、突部の先端には球状突起が嵌る凹部を穿設して枢動可能な状態で連結し、楽器の平滑面に対するチューナ本体の姿勢を前後左右傾斜方向および軸回転方向に回転可能としたことを特徴としている。
【考案の効果】
【００１８】
本考案の吸盤付きチューナによれば、楽器をチューニングする際に用いるディスプレイを備えたチューナにおいて、チューナ本体の下部に設けられたホルダーと、楽器の平滑面に対して着脱可能に取り付け可能な吸着面を有する吸盤と、ホルダーと吸盤とを前後または左右あるいは回転方向に回転可能な状態で連結する連結部材を設けて、楽器の平滑面に対するチューナ本体の方向が自在に変更可能な構成にした。このため、楽器に平滑面があれば容易にチューナを取り付けることができる。これに対してクリップを備えた従来のチューナでは、楽器の端部で、かつ挟むことができる大きさの部位に限ってチューナを取り付ける必要があり、取り付け位置の制約があった。本考案はこの課題を、クリップの代わりに柔らかい合成樹脂材料からなる吸盤を用いることによって、楽器の音源からの集音に適した位置に自在にチューナを取り付けることが可能であり、また演奏者がディスプレイを見易い位置にチューナの向きを調整して取り付けることができる効果が得られる。
【００１９】
また楽器の平滑面に吸盤を用いてチューナ本体を楽器に直接取り付けることができる構造であるために、チューナ全体の形状がコンパクトになり、かつ楽器に取付ける際に誤って硬いクリップの挟み板等で楽器の表面を傷つけることがない。チューナ全体の形状がコンパクトになり、かつ楽器の裏側や側部等の聴衆に気づかれ難い位置にチューナを取り付けた状態で演奏を行うことも可能となる効果が得られる。
【図面の簡単な説明】
【００２０】
【図１】本考案の実施例１の吸盤付きチューナを示し、図１（ａ）と図１（ｂ）は正面図、図１（ｃ）は一部を断面した側面図である。
【図２】本考案の実施例１を示す吸盤付きチューナを楽器（ギター）に取り付けた状態を示す斜視図である。
【図３】本考案の実施例２の吸盤付きチューナを示し、図３（ａ）と図３（ｂ）は正面図、図３（ｃ）は側面図である。
【図４】本考案の実施例３の吸盤付きチューナを示し、図４（ａ）と図４（ｂ）は正面図、図４（ｃ）は側面図である。
【図５】本考案の実施例３の連結部材の要部拡大図であり、図５（ａ）は正面からみた要部拡大図、図５（ｂ）はＡ−Ａ矢視方向から見た要部拡大図、図５（ｃ）はＢ−Ｂ矢視断面図である。
【図６】本考案の実施例４の吸盤付きチューナを示し、図６（ａ）と図６（ｂ）は正面図、図６（ｃ）は側面図であり、図６（ｄ）は吸盤１０の突部１３を一部断面した詳細図である。
【図７】本考案の実施例４を示す吸盤付きチューナを楽器（ギター）に取り付けた状態を示し、図７（ａ）はヘッドの表面に取り付けた斜視図、図７（ｂ）は裏面に取り付けた斜視図である。
【図８】従来例を示す図であり、図８（ａ）は正面図、図８（ｂ）は側面図であり、図８（ｃ）はチューナを楽器（ギター）に取り付けた状態を示す図である。
【考案を実施するための形態】
【００２１】
以下図面を用いて本考案の実施の形態を、具体的な実施例に基づいて詳細に説明する。
【実施例１】
【００２２】
図１（ａ）は、本考案の実施例１のチューナ１のチューナ本体２に設けられたディスプレイ３が正面を向いた図である。チューナ本体２と一体となったホルダー４を介して、柔らかい合成樹脂材料からなる吸盤１０とチューナ本体２を連結して組み合わせる前の状態を示している。
図１（ｂ）は、吸盤１０にチューナ本体２を連結して、吸盤１０とチューナ本体２とが一体化した状態を示し、図１（ｃ）は、楽器（ギターＧ）の平滑面Ｐに吸盤１０を押し付けて、吸盤１０の下部にある内部の空気を押し出して平滑面Ｐに吸引させて、チューナ本体２を楽器Ｇに取り付けた状態を示す一部を断面した側面図である。
【００２３】
本考案のチューナ１のチューナ本体２には、楽器Ｇの音源のチューニングの調整状態（音高および音高との離間状態等）を画面表示するディスプレイ３が正面に設けられている。チューナ本体２とホルダー４は、チューナ本体２の下部に設けられた溝を利用した結合子２ａを介して、チューナ本体２とホルダー４は、一体的に結合される。二股形状をしたホルダー４の下部には、吸盤１０と結合するための支承部材５、５が左右に設けられている。この支承部材５、５の側部には、チューナ本体２と吸盤１０とを前後傾斜方向に回転可能に連結する連結部材４０としての連結軸１５を挿入する貫通孔６が横方向に貫通している。
チューナ本体２には、楽器から発生する音源の音を拾うマイクロホンと楽器の振動を検知する振動センサとしてのピエゾデバイスが内蔵されている（図示せず）。またチューナ１の電源を入切りするスイッチも図示しないが、チューナ本体２の適宜な位置に設けられている。
【００２４】
吸盤１０は、吸盤本体１１の裏側に設けられた吸着面１２を楽器Ｇの平滑面Ｐ等に押し付けることで平たく変形し、裏側下面にあった空気を追い出すことで平滑面Ｐに吸着できる。吸盤１０の吸盤本体１１上部には、前記チューナ本体２と一体となったホルダー４下部の支承部材５、５の間に嵌って回転自在に係合できる突部１３が突設されている。突部１３の側方には、前記貫通孔６と同径で前記連結軸１５を挿入する孔１４が穿設されている。
図１（ｂ）に示すように、チューナ本体２と吸盤１０の連結は、ホルダー４の支承部材５、５の間に突部１３の上部を挿入して嵌めて、貫通孔６と孔１４を芯合わせした後に連結部材４０としての連結軸１５を横方向から挿入することで連結される。図１（ｃ）に示すように、チューナ本体２は、楽器Ｇの平滑面Ｐに吸着された吸盤１０によって固定され、かつディスプレイ面を前後傾斜方向ａに回転可能に保持される。
【００２５】
図２は、チューナ１を楽器（ギター）Ｇのボデイ部Ｄの平滑面Ｐに吸盤１０を介して取り付けた状態を示す斜視図である。従来のクリップ式チューナでは、楽器の端部で、かつ取り付けできる形状と厚さの、例えばギターのヘッド部Ｈ等に限って取り付ける必要があり、取り付け位置の制約があった。本考案のチューナでは、クリップではなく吸盤１０を用いて楽器の平滑面Ｐに取り付けることができるために、チューナ１を取り付ける位置や取り付け部材の形状や厚さの制限はなくなり、演奏者はチューナ１のディスプレイ３が見易い位置の平滑面Ｐに取り付けてチューニング作業をすることができる。
またチューナ本体２のディスプレイ３の画面の設置した角度を前後方向ａに傾斜して調整することで、ディスプレイ３を演奏者が見易い角度に設定できる。また周囲からの音、例えば雑音等の混入が少なく楽器から発する音源の集音効果が高い位置に設置することや、演奏中でチューナ１を取り付けた状態でも、取付けた状態が聴衆に容易に見えない位置、例えば楽器の裏側や側部等に取り付けることができる効果がある。
【実施例２】
【００２６】
図３（ａ）〜（ｃ）は、本考案の実施例２の吸盤付きチューナ１を示している。以下、実施例１と同じ機能を有する部材は同一の数字を付し、その詳細な説明は省略する。
図３（ａ）に示すチューナ１は、チューナ本体２の下部に設けられた溝を利用した結合子２ａを介してホルダー４と一体となっている。実施例１と同じく柔らかい合成樹脂材料からなる吸盤１０とチューナ本体２を連結する前の状態を示している。楽器の各音源のチューニング状態を表示するディスプレイ３は、チューナ本体２の正面側に設けられている。
図３（ｂ）は、吸盤１０にホルダー４を介してチューナ本体２を連結して組み合わせた状態を示す図である。
図３（ｃ）は、チューナ本体２を楽器Ｇの平滑面Ｐに吸着した吸盤１０を介して楽器Ｇに取り付けた状態を示す側面図である。
【００２７】
実施例1と同様に、ディスプレイ３が正面に設けられたチューナ本体２の下部には、溝を利用した連結用の結合子２ａが設けられ、チューナ本体２とホルダー４は結合して一体化できる構造である。ホルダー４下部の左右に設けられた支承部材５、５の側部には、チューナ本体２と吸盤１０とが前後傾斜方向ａに回転可能に連結する連結部材４０としての連結軸２０を挿入する貫通孔６が横方向に貫通している。
吸盤１０には、裏側下面に設けられた吸着面１２および上部には突部１３が設けられている。突部１３の上方側部には、前記貫通孔６と同径で前記連結軸２０が挿入できる孔１４が穿設されている。実施例２の連結軸２０の一端には頭部２１、他端にはネジ部２２が設けられ、該ネジ部２２と螺合するナット２３が設けられている。
図３（ｂ）に示すように、チューナ本体２と吸盤１０の連結は、ホルダー４の支承部材５、５の間に突部１３の側部を嵌めて、貫通孔６と孔１４を芯合わせた後に連結部材４０としての連結軸２０を挿入することで連結される。連結軸２０を孔１４と貫通孔６に挿入した後、ネジ部２２にナット２３をネジ締結することで、支承部材５、５と突部１３の嵌合度合を調整して、互いの密着の程度（回転摩擦力の程度）を変更することができる。
図３（ｃ）に示すように、チューナ本体２は、楽器Ｇの平滑面Ｐに吸着された吸盤１０に前後傾斜方向ａに回転可能な状態で保持できる。ディスプレイ３の画面が向く角度を調整した後、ナット２３をさらに締めて不意なチューナ１の前後方向の誤回転を防止できる効果がある。
【実施例３】
【００２８】
図４と図５は、本考案の実施例３の吸盤付きチューナ１を示している。図４（ａ）には、チューナ本体２と連結用の溝を利用した結合子２ａを介してホルダー４と一体化しているチューナ１を示している。
チューナ本体２の正面には、チューニング状態を表示するディスプレイ３が設けられている。チューナ１は、柔らかい合成樹脂材料からなる吸盤１０と連結する前の状態を示す図である。
図４（ｂ）は、吸盤１０とチューナ本体２を連結して一体化した図である。図４（ｃ）は、図４（ｂ）の側面図である。
【００２９】
ディスプレイ３が正面に設けられたチューナ本体２と一体化したホルダー４の下部には、左右に支承部材５、５が設けられ、支承部材５、５の内側側面には、円筒溝１６、１６が凹設されている。この円筒溝１６、１６は、吸盤１０の上方に設けられた突部１３の両側には前記円筒溝１６と同径の一対の円筒状の円盤１７、１７と嵌合する。
チューナ本体２と吸盤１０とは、連結部材４０としての円筒溝１６と円盤１７がそれぞれ嵌ることで、チューナ本体２と吸盤１０は前後傾斜方向ａに回転可能に連結される。吸盤１０の裏側下面には吸着面１２が、上部には突部１３が設けられている。
すなわち図４（ｂ）に示すように、チューナ本体２と吸盤１０の連結結合は、ホルダー４の支承部材５、５の内側に設けられた円筒溝１６、１６と吸盤１０の突部１３の上方両側に設けられた円盤１７、１７とが嵌合することで連結される。
【００３０】
図５（ａ）〜（ｃ）に示すように、円筒溝１６、１６の開口側に向かって形成された放射方向の複数の割出し歯１８、１８と、円筒溝１６、１６と嵌合する円盤１７、１７の外側端部に刻設された同じく放射方向の割出し歯１９、１９が歯合することで、チューナ本体２の前後傾斜方向の割出しを確実に行うことができる。
すなわち割出し歯１８と割出し歯１９を噛み合わせることで、ディスプレイ３の傾斜姿勢を確実に割出し維持できる効果がある。なお、割出し歯１９を円盤１７のみに構成し、対する円筒溝１６には割出し歯１９の谷部に突入する突起、例えば１本のピンのみを設けて割出機構を構成することも可能であり、またその逆に円筒溝１６に割出し歯１８のみを設けて円盤１７側には１本のピンを設けた構成とすることも可能である。
【実施例４】
【００３１】
図６（ａ）〜（ｄ）は、本考案の実施例４の吸盤付きチューナ１を示している。図６（ａ）に示すように、ディスプレイ３はチューナ本体２の正面側に設けられている。チューナ本体２は、チューナ本体２の下部に設けられた溝を利用した結合子２ａを介して、ホルダー４と連結して一体化している。
ホルダー４の下方に伸びた１本の軸状の支承部材５の先端には、嵌合部としての球状突起５ａが形成されている。柔らかい合成樹脂材料からなる吸盤１０の裏側下面には吸着面１２、その上方には突部１３が設けられている。突部１３の先端には前記球状突起５ａと嵌合する同径の球状または円筒状の凹部１３ａが凹設されている。
図６（ｄ）は、吸盤１０の突部１３を一部断面した詳細図であり、連結部材４０を構成する球状突起５ａは、球状の凹部１３ａと回動可能な状態で嵌り、チューナ１を吸盤１０に対して枢動可能な状態に保持する。連結部材４０としての球状突起５ａと凹部１３ａが回動可能な状態で嵌合することで、チューナ本体２は前後傾斜方向ａ、左右傾斜方向ｂおよび垂直軸に対して回転する軸回転方向ｃの回転がそれぞれ可能である。
【００３２】
図７（ａ）と（ｂ）は、チューナ本体２をギターＧのヘッド部Ｈの平滑面Ｐに吸着した吸盤１０で保持した状態を示し、図７（ａ）はヘッド部Ｈの表面に、図７（ｂ）は裏面にそれぞれ吸着して取り付けた状態を示す斜視図である。チューナ１のチューナ本体２は、前後傾斜方向ａ、左右傾斜方向ｂおよび軸回転方向ｃにそれぞれ回転可能である。この構成により演奏者は、チューナ本体２をギターＧの表面や裏面または側面等の平滑面がある位置であれば自在に取付けることができる。
また演奏者は、チューナ本体２のディスプレイ３を，見易い方向に容易に設定できる。特にチューナ本体２を軸回転方向ｃに回転できることで、チューナ本体２が向く方向が変更することが可能であり、吸盤１０の吸着を解除してチューナ本体２が向く方向の回転変更を行う煩わしい作業は不要となる。
【符号の説明】
【００３３】
１・・・チューナ
２・・・チューナ本体、２ａ・・・結合子
３・・・ディスプレイ
４・・・ホルダー
５・・・支承部材、５ａ・・・球状突起
６・・・貫通孔
１０・・・吸盤
１１・・・吸盤本体
１２・・・吸着面
１３・・・突部、１３ａ・・・凹部
１４・・・孔
１５・・・連結軸
１６・・・円筒溝
１７・・・円盤
１８、１９・・・割出し歯
２０・・・連結軸
２１・・・頭部
２２・・・ネジ部
２３・・・ナット
４０・・・連結部材
Ｄ・・・ボデイ部
Ｇ・・・楽器（ギター）
Ｈ・・・ヘッド部
Ｐ・・・平滑面
【図１】
0003212030.tif 000003
【図２】
0003212030.tif 000004
【図３】
0003212030.tif 000005
【図４】
0003212030.tif 000006
【図５】
0003212030.tif 000007
【図６】
0003212030.tif 000008
【図７】
0003212030.tif 000009
【図８】
0003212030.tif 000010